(57)【要約】      （修正有）【課題】簡単な構成で簡単にフロックの形成状態を監視することができる凝集監視装置を提供する。【解決手段】凝集監視装置１０は、浄水場等においてフロックの形成状態を監視するために用いられる。凝集監視装置１０は、監視対象水中におけるフロックの形成状態を撮影する撮影手段１１と、この撮影手段１１に対して撮影方向において対向配置されたバックスクリーン１２とを備えている。バックスクリーン１２の撮影手段１１との対向面には、升目が形成され、撮影手段１１とバックスクリーン１２との間を流れる監視対象水の流速を遅くするために、監視対象水の流れを妨げるように設けられた制御板１５を備えた。【選択図】図１
0003199553.tif 000002
【実用新案登録請求の範囲】
【請求項１】
フロックの形成状態を監視する凝集監視装置であって、
監視対象水中におけるフロックの形成状態を撮影する撮影手段と、
この撮影手段に対して撮影方向において対向配置され、前記撮影手段との対向面に升目が形成されたバックスクリーンと
を備えたことを特徴とする凝集監視装置。
【請求項２】
前記撮影手段と前記バックスクリーンとの間を流れる監視対象水の流速を遅くするために、監視対象水の流れを妨げるように設けられた制御板を備えたことを特徴とする請求項１記載の凝集監視装置。
【請求項３】
前記撮影手段の撮影領域を照らす照明手段を備えたことを特徴とする請求項１又は請求項２記載の凝集監視装置。
【請求項４】
前記撮影手段と前記バックスクリーンとの間に洗浄水を流し、フロックを洗浄する洗浄手段を備えたことを特徴とする請求項１から請求項３のいずれか１に記載の凝集監視装置。
【考案の詳細な説明】
【技術分野】
【０００１】
本考案は、フロックの形成状態を監視する凝集監視装置に関する。
【背景技術】
【０００２】
浄水場では、凝集池において、原水に含まれる土や濁りを凝集剤の作用により小さなフロック（固まり）とし、沈殿させて除去している。凝集池には混和池とフロック形成池があり、混和池において、例えば、原水を機械式ミキサにより速く撹拌し、凝集剤を原水中に均一に拡散させ、フロック形成池において、例えば、混和池で作られた小さなフロックをフロキュレータでゆっくり撹拌し、沈殿しやすい大きなフロックにしている。その際、フロック形成池においてフロックが適切な大きさに形成されているか否かを監視する必要がある。
【０００３】
従来、フロックの監視は、浄水場の維持管理者が１日数回、目視により行っていた。しかし、目視により経験的に判断していたので、判断基準が主観的になってしまうという問題があった。また、維持管理者が凝集池に行き、監視しなければならないので、手間がかかり、監視回数も多くすることが難しかった。そのため、凝集不良時に迅速に対応することが難しく、トラブルが大きくなってしまう恐れがあった。
【０００４】
そのため、近年では、工業用テレビカメラを用い、画像処理によりフロックの大きさや分布を認識する装置が提案されている（例えば、特許文献１参照）。しかしながら、このような装置は、構成が複雑で、価格が高くなってしまうという問題があった。よって、簡単な構成で、簡単に監視することができる装置が望まれていた。
【先行技術文献】
【特許文献】
【０００５】
【特許文献１】特公平６−２１８５１号公報
【考案の概要】
【考案が解決しようとする課題】
【０００６】
本考案は、このような問題に基づきなされたものであり、簡単な構成で簡単にフロックの形成状態を監視することができる凝集監視装置を提供することを目的とする。
【課題を解決するための手段】
【０００７】
本考案の凝集監視装置は、フロックの形成状態を監視するものであって、監視対象水中におけるフロックの形成状態を撮影する撮影手段と、この撮影手段に対して撮影方向において対向配置され、撮影手段との対向面に升目が形成されたバックスクリーンとを備えたものである。
【考案の効果】
【０００８】
本考案によれば、バックスクリーンに升目を形成し、撮影手段により撮影するようにしたので、升目の大きさと比較することにより、簡単かつ客観的にフロックの大きさや分布を把握することができる。よって、簡単な構成で、簡単に、フロックの形成状態を監視することができる。また、撮影手段により撮影した画像によりフロックの形成状態を監視することができるので、凝集池に行く手間を軽減することができ、監視回数を容易に増やすことができる。よって、凝集不良時に迅速に対応することができる。
【０００９】
更に、撮影手段とバックスクリーンとの間を流れる監視対象水の流速を遅くするために、監視対象水の流れを妨げるように制御板を設けるようにすれば、フロックの流れを遅くすることができ、フロックより容易に視認することができる。
【００１０】
加えて、撮影手段の撮影領域を照らす照明手段を設けるようにすれば、夜間でも鮮明な画像を得ることができ、２４時間安定してフロックの形成状態を監視することができる。
【００１１】
更にまた、撮影手段とバックスクリーンとの間に洗浄水を流す洗浄手段を備えるようにすれば、簡単に洗浄することができ、フロックの付着による誤判断を抑制することができる。
【図面の簡単な説明】
【００１２】
【図１】本考案の一実施の形態に係る凝集監視装置の構成を表す部分断面図である。
【図２】図１に示した凝集監視装置をＩ側から見た構成を表す図である。
【図３】図１に示した凝集監視装置のＩＩ−ＩＩ線に沿った断面図である。
【図４】図１に示した凝集監視装置のＩＩＩ−ＩＩＩ線に沿った断面図である。
【考案を実施するための形態】
【００１３】
以下、本考案の実施の形態について、図面を参照して詳細に説明する。
【００１４】
図１は、本考案の一の実施の形態に係る凝集監視装置１０の構成を表すものである。図２は、凝集監視装置１０をＩ側から見た構成を表すものである。図３は、凝集監視装置１０のＩＩ−ＩＩ線に沿った断面構成を表すものである。図４は、凝集監視装置１０のＩＩＩ−ＩＩＩ線に沿った断面構成を表すものである。この凝集監視装置１０は、浄水場等においてフロックの形成状態を監視するために用いられるものである。凝集監視装置１０は、例えば、監視対象水中におけるフロックの形成状態を撮影する撮影手段と１１、この撮影手段１１に対して撮影方向において対向配置されたバックスクリーン１２とを備えている。
【００１５】
撮影手段１１は、例えば、ウェブカメラ（Ｗｅｂカメラ）により構成することが好ましい。安価に高い性能を得ることができるからである。ウェブカメラというのは、例えば、コンピュータに接続しリアルタイムで画像転送をすることができるＵＳＢ、ＩＥＥＥ、或いは、１３９４等のインターフェイスを持つか、又は、ネットワークインターフェイスを持ち、ＷＷＷでアクセス可能なカメラを言う。撮影手段１１には、例えば、ＵＳＢケーブル１１Ａの一端部が接続されており、ＵＢＳケーブルの他端部は、室内に設置されたコンピュータ１３に接続されている。
【００１６】
撮影手段１１は、例えば、配管１４の内部に配設されている。配管１４は、撮影手段１１を監視対象水中に配設するためのものであり、一端部を監視対象水中に浸漬させて配置される。配管１４の一端部は、例えば、透明板１４Ａにより閉鎖されており、撮影手段１１は透明板１４Ａの近傍に位置していることが好ましい。配管１４は、例えば、硬質ポリ塩化ビニル管により構成されている。
配管１４の内部には、例えば、図示しないクッション材及び乾燥剤が充填されており、配管１４の内部の結露を防止するようになっている。
【００１７】
バックスクリーン１２は、撮影手段１１によりフロックの形成状態を撮影する際の背景となるものである。バックスクリーン１２は、例えば、配設部材１２Ａにより、透明板１４Ａとの間に間隔を開けて、透明板１４Ａに対して配設されている。バックスクリーン１２の撮影手段１１との対向面は、例えば、フロックとの対比を明確にするように、明度の低い色により構成されることが好ましく、黒色とすればより好ましい。
【００１８】
また、バックスクリーン１２の撮影手段１１との対向面には、例えば、升目１２Ｂが形成されている。フロックの大きさや分布を升目１２Ｂの大きさと比較することにより簡単かつ客観的に把握することができるからである。升目１２Ｂは、例えば、明度の高い色により形成することが好ましく、白色により形成すればより好ましい。升目１２Ｂの大きさは、例えば、５ｍｍ角程度とすることが好ましい。
【００１９】
凝集監視装置１０は、また、例えば、バックスクリーン１２と透明板１４Ａとの間に設けられた制御板１５と、撮影手段１１の撮影領域を照らす照明手段１６とを備えていることが好ましい。制御板１５は、撮影手段１１とバックスクリーン１２との間を流れる監視対象水の流速を遅くするためのものであり、監視対象水の流れを妨げるように設けられている。制御板１５は、例えば、バックスクリーン１２の周縁部の一部に沿って設けられた外周制御板１５Ａと、外周制御板１５Ａの内側において、透明板１４Ａに対して配設された内側制御板１５Ｂとを有していることが好ましい。
【００２０】
照明手段１６は、夜間でも監視することができるようにするためのものであり、ＬＥＤランプにより構成されることが好ましい。照明手段１６は、例えば、配管１４の内部において透明板１４Ａの近傍、すなわち、撮影手段１１の近傍に配設されている。
【００２１】
凝集監視装置１０は、更に、例えば、撮影手段１１とバックスクリーン１２との間に洗浄水を流す洗浄手段１７を備えていることが好ましい。洗浄手段１７は、例えば、バックスクリーン１２又は透明板１４Ａに付着したフロックを洗浄するためのものである。洗浄手段１７は、例えば、洗浄水を供給する洗浄管１７Ａを有しており、洗浄管１７Ａの一端部はバックスクリーン１２及び透明板１４Ａの近傍に配設されている。
【００２２】
この凝集監視装置１０は、例えば、浄水場において次のようにして用いられる。まず、例えば、配管１４の一端部を凝集池の監視対象水中に浸漬させて配置し、撮影手段１１及びバックスクリーン１２を監視対象水中に配設する。次いで、撮影手段１１により、監視対象水におけるフロックの形成状態を撮影する。撮影手段１１により撮影された画像は、例えば、コンピュータ１３に送られ、コンピュータ１３の画面において見ることができる。
【００２３】
その際、バックスクリーン１２には升目１２Ｂが形成されているので、撮影手段１１により撮影された画像には、フロックと升目１２Ｂが映し出される。維持管理者は、映し出されたフロックと升目１２Ｂの大きさとを比較することにより、フロックの大きさや分布を客観的に把握することができる。維持管理者は、例えば、フロックの大きさが規定の大きさよりも小さい場合等には凝集池に投入する凝集剤の量を増やし、フロックの大きさが規定の大きさよりも大きい場合には凝集池に投入する凝集剤の量を減らす。
【００２４】
また、バックスクリーン１２と透明板１４Ａとの間に制御板１５を設けるようにすれば、撮影手段１１とバックスクリーン１２との間を流れる監視対象水の流速が遅くなり、画像に映し出されるフロックの動きが遅くなる。よって、フロックの大きさや分布を容易に把握することができる。
【００２５】
このように本実施の形態によれば、バックスクリーン１２に升目１２Ｂを形成し、撮影手段１１により撮影するようにしたので、升目１２Ｂの大きさと比較することにより、簡単かつ客観的にフロックの大きさや分布を把握することができる。よって、簡単な構成で、簡単に、フロックの形成状態を監視することができる。また、撮影手段１１により撮影した画像によりフロックの形成状態を監視することができるので、凝集池に行く手間を軽減することができ、監視回数を容易に増やすことができる。よって、凝集不良時に迅速に対応することができる。
【００２６】
更に、撮影手段１１とバックスクリーン１２との間を流れる監視対象水の流速を遅くするために、監視対象水の流れを妨げるように制御板１５を設けるようにすれば、フロックの流れを遅くすることができ、フロックより容易に視認することができる。
【００２７】
加えて、撮影手段１１の撮影領域を照らす照明手段を設けるようにすれば、夜間でも鮮明な画像を得ることができ、２４時間安定してフロックの形成状態を監視することができる。
【００２８】
更にまた、撮影手段１１とバックスクリーン１２との間に洗浄水を流す洗浄手段１７を備えるようにすれば、簡単に洗浄することができ、フロックの付着による誤判断を抑制することができる。
【００２９】
以上、実施の形態を挙げて本考案を説明したが、本考案は上記実施の形態及び実施例に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００３０】
１０…凝集監視装置、１１…撮影手段、１１Ａ…ＵＳＢケーブル、１２…バックスクリーン、１２Ａ…配設部材、１２Ｂ…升目、１３…コンピュータ、１４…配管、１４Ａ…透明板、１５…制御板、１５Ａ…外周制御板、１５Ｂ…内側制御板、１６…照明手段、１７…洗浄手段、１７Ａ…洗浄管
【図１】
0003199553.tif 000003
【図２】
0003199553.tif 000004
【図３】
0003199553.tif 000005
【図４】
0003199553.tif 000006